(57)【特許請求の範囲】
【請求項１】
複数のプロセスから構成されるプロセスシステムのリスク評価システムであって、
前記プロセスを特定する識別情報と、前記プロセスを構成する構成機器のうちの少なくとも特定の構成機器を特定する識別情報とを関連づけた関連情報を記憶する記憶部と、
前記特定の構成機器に関するリスク評価のための所定情報の操作入力を受け付ける操作部と、
前記特定の構成機器に関するリスク評価に用いる第一要因及び第二要因を、前記特定の構成機器に関する前記所定情報に基づいて算出する算出部と、
前記第一要因及び前記第二要因の２軸で定義され、算出された前記特定の構成機器の第一要因及び第二要因に基づいてプロットしたプロット画像を含む機器リスク評価マトリクスを表示するための機器リスク評価情報を生成するリスク評価部と、
前記機器リスク評価情報を用いて、前記機器リスク評価マトリクスを表示する表示部と
を備え、
前記リスク評価部は、前記記憶部の関連情報に基づいて、同一プロセスを構成する前記特定の構成機器のプロット画像を特定可能な表示態様で前記機器リスク評価情報を生成するリスク評価システム。
【請求項２】
前記第一要因は、前記特定の構成機器のプロセスにおける重要度であり、
前記第二要因は、前記特定の構成機器の不具合の発生頻度である請求項１に記載のリスク評価システム。
【請求項３】
前記リスク評価部は、前記特定可能な表示態様として、前記同一プロセスを構成する特定の構成機器のプロット画像を線で囲んだ表示態様で前記機器リスク評価情報を生成する請求項１に記載のリスク評価システム。
【請求項４】
前記操作部は、さらに、前記プロセスに関するリスク評価のための所定情報の操作入力を受け付け、
前記算出部は、さらに、前記プロセスの前記第一要因及び前記第二要因を、前記プロセスに関する前記所定情報に基づいて算出し、
前記リスク評価部は、前記第一要因及び前記第二要因の２軸で定義され、算出された前記プロセスの第一要因及び第二要因に基づいてプロットしたプロット画像を含むプロセスリスク評価マトリクスを表示するためのプロセスリスク評価情報を生成し、
前記表示部は、前記機器リスク評価マトリクス及び前記プロセスリスク評価マトリクスを、切り換えて表示する、又は、並べて表示する請求項１に記載のリスク評価システム。
【請求項５】
前記記憶部は、さらに、前記特定の構成機器の動作状態の情報を、前記特定の構成機器の識別情報に関連づけて記憶し、
前記リスク評価部は、前記特定の構成機器の動作状態の情報に基づいて、前記特定の構成機器のそれぞれの動作状態を特定可能な表示態様のプロット画像を含む機器リスク評価マトリクスを表示するための機器リスク評価情報を生成する請求項１に記載のリスク評価システム。
【請求項６】
前記プロット画像の表示態様は、前記動作状態に応じて形状、色彩、点滅間隔のいずれかが異なる請求項５に記載のリスク評価システム。
【請求項７】
前記特定の構成機器は、前記プロセスシステムにおいて発生するドレンを排出するスチームトラップであり、
前記動作状態は、前記スチームトラップに関する温度及び振動の情報に基づいて判定された状態である請求項５に記載のリスク評価システム。
【請求項８】
前記特定の構成機器の動作状態には、正しい動作状態を示す正常状態、正常ではない動作状態を示す異常状態、動作が停止している状態にある休止状態が含まれる請求項７に記載のリスク評価システム。
【請求項９】
複数のプロセスから構成されるプロセスシステムに適用されるコンピュータのリスク評価プログラムであって、
前記リスク評価プログラムは、コンピュータを、
前記プロセスを構成する構成機器のうちの少なくとも特定の構成機器に関するリスク評価に用いる第一要因及び第二要因を、操作部を介してユーザによって入力された前記特定の構成機器のリスク評価のための所定情報に基づいて算出する算出部、
前記第一要因及び前記第二要因の２軸で定義され、算出された前記特定の構成機器の第一要因及び第二要因に基づいてプロットしたプロット画像を含む機器リスク評価マトリクスを表示部に表示させるための機器リスク評価情報を生成するリスク評価部、
として機能させ、
前記リスク評価部は、前記プロセスを特定する識別情報と、前記プロセスを構成する特定の構成機器を特定する識別情報とを関連づけた関連情報に基づいて、同一プロセスを構成する前記特定の構成機器のプロット画像を特定可能な表示態様で前記機器リスク評価情報を生成する、
ものとして機能させるリスク評価プログラム。
【請求項１０】
コンピュータによって実行される複数のプロセスから構成されるプロセスシステムのリスク評価方法であって、
前記プロセスを特定する識別情報と、前記プロセスを構成する構成機器のうちの少なくとも特定の構成機器を特定する識別情報とを関連づけた関連情報を記憶する記憶部にアクセスする工程と、
前記特定の構成機器に関するリスク評価のための所定情報の操作入力を受け付ける操作工程と、
前記特定の構成機器に関するリスク評価に用いる第一要因及び第二要因を、前記特定の構成機器に関する前記所定情報に基づいて算出する算出工程と、
前記第一要因及び前記第二要因の２軸で定義され、算出された前記特定の構成機器の発生頻度及び重要度に基づいてプロットしたプロット画像を含む機器リスク評価マトリクスを表示するための機器リスク評価情報を生成するリスク評価工程と、
前記機器リスク評価情報を用いて、前記機器リスク評価マトリクスを表示する表示工程と、
を備え、
前記リスク評価工程は、前記記憶部の関連情報に基づいて、同一プロセスを構成する前記特定の構成機器のプロット画像を特定可能な表示態様で前記機器リスク評価情報を生成する、
リスク評価方法。
【発明の詳細な説明】
【技術分野】
【０００１】
この発明は、複数のプロセスから構成されるプロセスシステムのリスク評価システム、リスク評価プログラム及びリスク評価方法に関する。
【背景技術】
【０００２】
近年、発電所、オイル製造装置、精油所、ガスプラント及び化学プラントなどのプラント（プロセスシステム）では、信頼性や安全性を確保しつつ効率的に保全管理業務を実施する方法として、ＲＢＩ（Ｒｉｓｋ−Ｂａｓｅｄ  Ｉｎｓｐｅｃｔｉｏｎ）のリスク評価手法が導入されつつある。この手法は、プラントを構成する複数のプロセスのそれぞれについて、不具合（故障など）の発生頻度及びプロセスの重要度に基づいてリスク評価を行う。例えば、この手法によってリスクが高いと評価されたプロセスを構成する構成機器に対してメンテナンスなどを集中的に実施することで、効率的にプロセスシステムを保全管理している。リスク評価手法は、特開２０１３−０８８８２８号公報及び特開２０１０−０７３１２１号公報に例示されている。【０００３】
その他、リスク評価とは異なるが、上述したプラントなどに配設される構成機器であるスチームトラップの現在の動作状態（状態データ）を収集し、この状態データに基づいてスチームトラップの交換等のメンテナスを実施する方法もある。この方法は、特開２０１０−１４６１８６号公報に例示されている。
【先行技術文献】
【特許文献】
【０００４】
【特許文献１】特開２０１３−０８８８２８号公報
【特許文献２】特開２０１０−０７３１２１号公報
【特許文献３】特開２０１０−１４６１８６号公報
【発明の概要】
【発明が解決しようとする課題】
【０００５】
上述したリスク評価手法は、プロセス単位（又は機器単位）で行われる。そのため、リスク評価において、プロセスとそのプロセスを構成する構成機器との関連性を把握し難い。例えば、プロセス単位のリスク評価では、リスクの高いプロセスの構成機器のうち、どの構成機器がよりリスクが高いのかを把握することが難しい。そのため、リスクの高いプロセスの構成機器のうち、どの構成機器から優先的にメンテナンスを実施するべきか把握し難い。【０００６】
この発明は、リスク評価において、プロセスシステムを構成するプロセスと、プロセスを構成する構成機器との関連性を把握することができるプロセスシステムのリスク評価システム、リスク評価プログラム及びリスク評価方法を提供することを目的とする。
【課題を解決するための手段】
【０００７】
本発明の第１の側面によって提供される複数のプロセスから構成されるプロセスシステムのリスク評価システムは、記憶部、操作部、算出部、リスク評価部及び表示部を備えている。記憶部は、前記プロセスを特定する識別情報と、前記プロセスを構成する構成機器のうちの少なくとも特定の構成機器を特定する識別情報とを関連づけた関連情報を記憶する。操作部は、前記特定の構成機器に関するリスク評価のための所定情報の操作入力を受け付ける。算出部は、前記特定の構成機器に関するリスク評価に用いる第一要因及び第二要因を、前記特定の構成機器に関する前記所定情報に基づいて算出する。リスク評価部は、前記第一要因及び前記第二要因の２軸で定義され、算出された前記特定の構成機器の第一要因及び第二要因に基づいてプロットしたプロット画像を含む機器リスク評価マトリクスを表示するための機器リスク評価情報を生成する。表示部は、前記機器リスク評価情報を用いて、前記機器リスク評価マトリクスを表示する。また、リスク評価部は、前記記憶部の関連情報に基づいて、同一プロセスを構成する前記特定の構成機器のプロット画像を特定可能な表示態様で前記機器リスク評価情報を生成する。
【０００８】
前記第一要因は、前記特定の構成機器のプロセスにおける重要度であり、上記第二要因は、前記特定の構成機器の不具合の発生頻度であってもよい。【０００９】
前記リスク評価部は、特定可能な前記表示態様として、前記同一プロセスを構成する特定の構成機器のプロット画像を線で囲んだ表示態様で前記機器リスク評価情報を生成してもよい。
【００１０】
前記操作部は、さらに、前記プロセスに関するリスク評価のための所定情報の操作入力を受け付け、上記算出部は、さらに、前記プロセスの前記第一要因及び前記第二要因を、前記プロセスに関する前記所定情報に基づいて算出し、上記リスク評価部は、前記第一要因及び前記第二要因の２軸で定義され、算出された前記プロセスの第一要因及び第二要因に基づいてプロットしたプロット画像を含むプロセスリスク評価マトリクスを表示するためのプロセスリスク評価情報を生成し、上記表示部は、前記機器リスク評価マトリクス及び前記プロセスリスク評価マトリクスを、切り換えて表示する、又は、並べて表示するようにしてもよい。【００１１】
前記記憶部は、さらに、前記特定の構成機器の動作状態の情報を、前記特定の構成機器の識別情報に関連づけて記憶し、前記リスク評価部は、前記特定の構成機器の動作状態の情報に基づいて、前記特定の構成機器のそれぞれの動作状態を特定可能な表示態様のプロット画像を含む機器リスク評価マトリクスを表示するための機器リスク評価情報を生成するようにしてもよい。【００１２】
上記プロット画像の表示態様は、前記動作状態に応じて形状、色彩、点滅間隔のいずれかが異なるようにしてもよい。【００１３】
上記特定の構成機器は、前記プロセスシステムにおいて発生するドレンを排出するスチームトラップであり、前記動作状態は、前記スチームトラップの温度及び振動の情報に基づいて判定された状態であってもよい。【００１４】
上記特定の構成機器の動作状態には、正しい動作状態を示す正常状態、正常ではない動作状態を示す異常状態、動作が停止している状態にある休止状態が含まれてもよい。【００１５】
本発明の第２の側面によって提供されるリスク評価プログラムは、複数のプロセスから構成されるプロセスシステムに適用されるコンピュータを、前記プロセスを構成する構成機器のうちの少なくとも特定の構成機器に関するリスク評価に用いる第一要因及び第二要因を、操作部を介してユーザによって入力された前記特定の構成機器のリスク評価のための所定情報に基づいて算出する算出部、前記第一要因及び前記第二要因の２軸で定義され、算出された前記特定の構成機器の第一要因及び第二要因に基づいてプロットしたプロット画像を含む機器リスク評価マトリクスを表示部に表示させるための機器リスク評価情報を生成するリスク評価部、として機能させ、前記リスク評価部は、前記プロセスを特定する識別情報と、前記プロセスを構成する特定の構成機器を特定する識別情報とを関連づけた関連情報に基づいて、同一プロセスを構成する前記特定の構成機器のプロット画像を特定可能な表示態様で前記機器リスク評価情報を生成する、ものとして機能させる。【００１６】
本発明の第３の側面によって提供されるコンピュータによって実行される複数のプロセスから構成されるプロセスシステムのリスク評価方法は、前記プロセスを特定する識別情報と、前記プロセスを構成する構成機器のうちの少なくとも特定の構成機器を特定する識別情報とを関連づけた関連情報を記憶する記憶部にアクセスする工程と、前記特定の構成機器に関するリスク評価のための所定情報の操作入力を受け付ける操作工程と、前記特定の構成機器に関するリスク評価に用いる第一要因及び第二要因を、前記特定の構成機器に関する前記所定情報に基づいて算出する算出工程と、前記第一要因及び前記第二要因の２軸で定義され、算出された前記特定の構成機器の発生頻度及び重要度に基づいてプロットしたプロット画像を含む機器リスク評価マトリクスを表示するための機器リスク評価情報を生成するリスク評価工程と、前記機器リスク評価情報を用いて、前記機器リスク評価マトリクスを表示する表示工程と、を備え、前記リスク評価工程は、前記記憶部の関連情報に基づいて、同一プロセスを構成する前記特定の構成機器のプロット画像を特定可能な表示態様で前記機器リスク評価情報を生成する。
【発明の効果】
【００１７】
この発明によれば、機器リスク評価マトリクスにおいて、同一プロセスを構成する特定の構成機器のプロット画像を特定できるので、リスク評価において、プロセスシステムを構成するプロセスと、プロセスを構成する構成機器との関連性を把握することができ、より効率的にプロセスシステムの保全管理を行うことができる。
【図面の簡単な説明】
【００１８】
【図１】この発明の第１の実施形態に係るプロセスシステムのリスク評価システムの構成を示す図である。
【図２】（Ａ）は、この発明の第１の実施形態に係るスチームトラップのリスクが表示されたウィンドウの一例を示す図であり、（Ｂ）は、この発明の第１の実施形態に係るスチームトラップのリスクが表示されたウィンドウの一例を示す図である。
【図３】この発明の第１の実施形態に係るプロセスのリスクが表示されたウィンドウの一例を示す図である。
【図４】この発明の第１の実施形態に係るスチームトラップ及びプロセスの重要度及び発生頻度を算出するための所定情報の入力画面が表示されたウィンドウの一例を示す図である。
【図５】（Ａ）は、この発明の第１の実施形態に係る重要度テーブルの一例を示す図であり、（Ｂ）は、この発明の第１の実施形態に係る発生頻度テーブルの一例を示す図であり、（Ｃ）は、この発明の第１の実施形態に係る選択肢テーブルの一例を示す図である。
【図６】（Ａ）は、この発明の第１の実施形態に係る記憶部に記憶されている機器リスク評価テーブルを示す図であり、（Ｂ）は、この発明の第１の実施形態に係る記憶部に記憶されているプロセスリスク評価テーブルを示す図である。
【図７】この発明の第１の実施形態に係るリスク評価システムが実行する重要度及び発生頻度の算出処理を示すフローチャートである。
【図８】この発明の第１の実施形態に係るリスク評価システムが実行するリスク評価マトリクスの表示処理を示すフローチャートである。
【図９】この発明の第２の実施形態に係るプロセスシステムのリスク評価システムの構成を示す図である。
【図１０】（Ａ）は、この発明の第２の実施形態に係るスチームトラップのリスクが表示されたウィンドウの一例を示す図であり、（Ｂ）は、この発明の第２の実施形態に係るスチームトラップのリスクが表示されたウィンドウの一例を示す図である。
【図１１】この発明の第２の実施形態に係るプロセスのリスクが表示されたウィンドウの一例を示す図である。
【図１２】この発明の第２の実施形態に係る記憶部に記憶されている機器リスク評価テーブルを示す図である。
【図１３】この発明の第２の実施形態に係るリスク評価システムが実行する状態情報の更新処理を示すフローチャートである。
【図１４】この発明の第２の実施形態に係るリスク評価システムが実行するリスク評価マトリクスの表示処理を示すフローチャートである。
【発明を実施するための形態】
【００１９】
図面を参照してこの発明の実施形態であるプロセスシステムのリスク評価システム、リスク評価プログラム及びリスク評価方法について説明する。なお、本発明の構成は、実施形態に限定されるものではない。また、以下で説明する各種フローを構成する各種処理の順序は、処理内容に矛盾等が生じない範囲で順不同である。
【００２０】
（第１実施形態）
第１−１  プロセスシステム（プラント）のリスク評価システム１の構成
図１は、プロセスシステムのリスク評価システム１の構成を示す図である。リスク評価システム１は、端末装置２などから構成され、発電所、オイル製造装置、精油所、ガスプラント、蒸気プラントなどのプラント（プロセスシステム）のリスク評価を行う。この実施形態では、プロセスシステムのリスク評価として、蒸気プラントのプロセス及び構成機器のリスク評価について説明する。プロセスは、蒸気供給プロセスなどであり、蒸気プラントをプロセス単位で複数に分割したものである。構成機器は、各プロセスを構成するスチームトラップなどの機器である。この実施形態では、構成機器として、スチームトラップ（特定の構成機器）のリスク評価について説明する。スチームトラップは、プロセスにおいて発生するドレンを排出する。また、リスク評価手法としては、ＲＢＩ（Ｒｉｓｋ−Ｂａｓｅｄ  Ｉｎｓｐｅｃｔｉｏｎ）の評価手法を用いる。ＲＢＩについては、公知の手法であるため詳細な説明は省略する。
【００２１】
端末装置２は、携帯可能なパーソナルコンピュータ、タッチパネルを有するタブレット型端末などであり、プロセスシステムのリスク評価を行う。上記リスク評価を行うため、端末装置２は、制御部２０、記憶部２１、操作部２２及び表示部２３などを有している。制御部２０は、ＣＰＵなどで構成され、記憶部２１に記憶されているリスク評価プログラムを実行してリスク評価を行う。記憶部２１は、ハードディスクやＲＡＭなどで構成され、上述したリスク評価プログラム及び後述するリスク評価テーブルなどを記憶する。
【００２２】
操作部２２は、例えば、キーボード、マウス、タッチパネルなどであり、リスク評価を行うための所定情報の操作入力を受け付け、入力情報を制御部２０に送信する。表示部２３は、液晶ディスプレイなどのモニタであり、ウィンドウ３０（図２参照）の画像などを表示する。なお、この実施形態では、記憶部２１、操作部２２及び表示部２３が端末装置２に一体的に備えられているが、別々の構成であってもよい。
【００２３】
第１−２  リスク評価
図２（Ａ）は、スチームトラップのリスクが表示されたウィンドウ３０の一例を示す図である。ウィンドウ３０は、マトリクス表示エリア４０及び操作アイコン表示エリア４５などから構成され、表示部２３に表示される。マトリクス表示エリア４０には、横軸を重要度、縦軸を不具合の発生頻度で定義された座標系の機器リスク評価マトリクス４１が表示される。操作アイコン表示エリア４５には、図２（Ａ）、図２（Ｂ）、図３に示すようにマトリクス表示エリア４０の表示態様の切り換えの入力を受け付ける操作ボタンアイコン４６、４７、４８が設けられている。
【００２４】
機器リスク評価マトリクス４１は、５×５のマスに区分され、プロット画像４２がプロットされている。各プロット画像４２は、対応するスチームトラップの重要度及び不具合の発生頻度に基づいてプロットされている。すなわち、各プロット画像４２は、対応するスチームトラップのリスクを示す。重要度は、スチームトラップに不具合が発生した場合の被害の大きさを示す。不具合の発生頻度は、損傷などの不具合の起こりやすさを示す。これら重要度と不具合の発生頻度との積によってリスクが決定される。すなわち、原点に近い（左下）マスほどリスクが小さく、原点から遠い（右上）マスほどリスクが大きくなる。作業者は、機器リスク評価マトリクス４１から各スチームトラップのリスクを把握することができる。
【００２５】
また、作業者が操作部２２を操作（タッチ等）してプロット画像４２の１つを指定した場合、図２（Ａ）に示すように、指定されたプロット画像４２に対応するスチームトラップの機器識別ＩＤが吹出画像４４Ａに表示される。機器識別ＩＤは、プロセスを構成する構成機器を特定する固有の識別情報である。
【００２６】
上述の機器リスク評価マトリクス４１は、ウィンドウ３０を起動後、作業者が操作部２２を操作（タッチ等）して操作ボタンアイコン４６を押すことによって表示が開始される。また、作業者が操作ボタンアイコン４７を押した場合は、機器リスク評価マトリクス４１が図２（Ａ）から図２（Ｂ）に示すような表示態様に変化する。図２（Ｂ）に示す機器リスク評価マトリクス４１には、同一のプロセスを構成するスチームトラップのプロット画像４２を囲んだプロセス円４３（プロセス円４３Ａを含む）が複数表示されている。
【００２７】
図２（Ｂ）に示すようなプロセス円４３を表示させることで、同一のプロセスのプロット画像４２（プロット画像４２Ａを含む）を識別することができる。また、このプロセス円４３の位置からそのプロセスの大よそのリスクも把握することができる。作業者は、例えば、プロセス円４３Ａを構成するスチームトラップ（プロット画像４２）のうち、プロット画像４２Ａのスチームトラップについてリスクが高いこと認識できる。したがって、作業者は、プロット画像４２Ａのスチームトラップを優先的にメンテナンス等すればよいと判断できる。そして、このプロット画像４２Ａのスチームトラップのリスクを下げることができれば、プロセス円４３Ａのリスクも下がることになる。
【００２８】
また、作業者が操作部２２を操作（タッチ等）してプロセス円４３の１つを指定した場合、図２（Ｂ）に示すように、指定されたプロセス円４３に対応するプロセスのプロセスＩＤ及びそのプロセスを構成するスチームトラップの機器識別ＩＤが吹出画像４４Ｂに表示される。なお、プロセスＩＤは、プロセスシステムを構成するプロセスを特定する固有の識別情報である。
【００２９】
なお、図２（Ｂ）に示す状態で、作業者が操作ボタンアイコン４７を押した場合は、機器リスク評価マトリクス４１は、図２（Ａ）に示す表示態様に戻る。また、図２（Ａ）及び図２（Ｂ）に示す状態で、作業者が操作ボタンアイコン４８を押した場合、図３に示すマトリクス表示エリア４０に、プロセスリスク評価マトリクス５１が切り換え表示される。
【００３０】
図３は、プロセスのリスクが表示されたウィンドウ３０の一例を示す図である。図３に示すウィンドウ３０には、上述した機器リスク評価マトリクス４１と同様に、横軸を重要度、縦軸を不具合の発生頻度で定義された座標系のプロセスリスク評価マトリクス５１が表示されている。プロセスリスク評価マトリクス５１は、プロット画像５２がプロットされている。プロット画像５２も、プロット画像４２と同様に、対応するプロセスの重要度及び発生頻度に基づいてプロットされている。これにより、作業者は、各プロセスのリスクを把握することができる。
【００３１】
また、作業者が操作部２２を操作（タッチ等）してプロット画像５２の１つを指定した場合、図３に示すように、指定されたプロット画像５２に対応するプロセスのプロセスＩＤ及びそのプロセスを構成するスチームトラップの機器識別ＩＤが吹出画像５４に表示される。なお、上述した図２（Ａ）、図２（Ｂ）及び図３のリスク評価マトリクス４１、５１は、公知の画像処理技術によって表示されており、詳細な説明は省略する。
【００３２】
次に、スチームトラップ及びプロセスの重要度及び発生頻度を算出するための所定情報について図４を用いて説明する。図４は、スチームトラップ及びプロセスの重要度及び発生頻度を算出するための所定情報の入力画面が表示されたウィンドウ６０の一例を示す図である。
【００３３】
ウィンドウ６０は、識別ＩＤ入力エリア７０及び情報入力エリア７５（情報入力エリア７５Ａ、７５Ｂを含む）などから構成されている。識別ＩＤ入力エリア７０には、入力ウィンドウ７１及び操作ボタンアイコン７２が設けられている。入力ウィンドウ７１は、スチームトラップの識別情報（機器識別ＩＤ）、及び、プロセスに固有に付与された識別情報（プロセスＩＤ）の入力を受け付ける。操作ボタンアイコン７２は、情報入力エリア７５での情報の入力が確定したことの入力を受け付ける。
【００３４】
情報入力エリア７５Ａは、重要度を算出するための所定情報を入力するための入力ウィンドウが設けられている。情報入力エリア７５Ｂは、不具合の発生頻度を算出するための所定情報を入力するための入力ウィンドウが設けられている。情報入力エリア７５Ａ、７５Ｂで入力される所定情報の内容としては、例えば、図５（Ａ）及び図５（Ｂ）に示す情報がある。図５（Ａ）は、重要度テーブル８０の一例を示す。図５（Ｂ）は、発生頻度テーブル８１の一例を示す。
【００３５】
各テーブル８０、８１は、重要度及び不具合の発生頻度を算出するための情報内容を示すテキストデータが評価情報ＩＤに関連付けて記憶されている。評価情報ＩＤは、各所定情報を特定する固有の識別情報である。テキストデータは、情報入力エリア７５Ａ、７５Ｂの対応する入力ウィンドウの上部に表示される。作業者は、例えば、各所定情報について入力ウィンドウのプルダウンメニューで表示される複数の選択肢の中から合致する内容を選択することで、入力ウィンドウ７１に入力したスチームトラップ（又はプロセス）に関する情報入力を行う。各選択肢には数値が設定されているので、選択された選択肢に基づいて各所定情報が数値に変換される。例えば、評価情報ＩＤがＳ１の「現在のコンディション（劣化状況）」は、図５（Ｃ）に示すように３段階の選択肢があり、この選択肢に数値が設定されている。
【００３６】
図５（Ｃ）は、選択肢テーブル８２の一例であり、テキストデータ及び数値データが評価情報ＩＤに関連づけられている。テキストデータは、プルダウンメニューとして表示される選択肢である。数値データは、選択肢毎の数値を示す。このような選択肢テーブル８２が所定情報（評価情報ＩＤ）毎に記憶部２１に記憶されている。
【００３７】
このように、作業者が入力した所定情報の内容に基づいて変換した数値を用いて、例えば下記算出式によって重要度及び不具合の発生頻度の値が算出される。
【００３８】
重要度＝Ｋ・Ｔ１・Ｔ２＋Ｔ３・Ｔ６＋Ｔ４＋Ｔ５＋Ｔ７＋Ｔ８＋Ｔ９（Ｋは定数）
発生頻度＝Ｓ２・Σ（Ｓｉ）；ｉ＝１，３〜７
【００３９】
なお、上述したリスク評価算出のための情報及び算出式は、公知のＲＢＩのリスク評価に用いられるものであり、詳細説明は省略する。また、所定情報及び算出式は、上述したものに限定されるものではなく、リスク評価マトリクスの横軸及び縦軸に定義される第１要因及び第２要因を算出するための所定情報および算出式であればよい。例えば、特開２０１３−８８８２８号公報に記載されている影響度及び不具合の発生頻度を第１要因及び第２要因とする構成を用いてもよい。
【００４０】
制御部２０は、作業者によって図４に示す操作ボタンアイコン７２が押されたことを条件として、入力ウィンドウ７１に入力された機器識別ＩＤ（又はプロセスＩＤ）に対する重要度及び発生頻度の算出を、情報入力エリア７５で入力された内容に基づいて実行する。そして、制御部２０は、算出した重要度及び不具合の発生頻度を、記憶部２１に記憶されているリスク評価テーブル９０、９１（図６参照）に設定する。なお、上述の重要度等の算出のタイミングは、リスク評価マトリクス４１、５１を表示するまでであればいつでもよく、特に限定されるものではない。
【００４１】
図６（Ａ）は、記憶部２１に記憶されている機器リスク評価テーブル９０を示す図である。図６（Ｂ）は、記憶部２１に記憶されているプロセスリスク評価テーブル９１を示す図である。機器リスク評価テーブル９０には、各スチームトラップについて上述のように算出された重要度及び不具合の発生頻度が各スチームトラップに対応する機器識別ＩＤに対応づけられて登録されている。機器リスク評価テーブル９０の重要度及び発生頻度は、数値データであり、機器リスク評価マトリクス４１の座標系の横軸座標及び縦軸座標でもある。制御部２０は、この重要度及び不具合の発生頻度に基づいて機器リスク評価マトリクス４１でプロット画像４２をプロットする。
【００４２】
また、機器リスク評価テーブル９０には、スチームトラップが構成するプロセスのプロセスＩＤも含まれている。制御部２０は、このプロセスＩＤの情報に基づいて、同一プロセスを構成するスチームトラップを特定し、このプロセスのプロセス円４３（中心座標及び半径）を算出する。また、制御部２０は、作業者が指定したウィンドウ３０の位置座標に基づいて、機器リスク評価テーブル９０の各情報及び上記プロセス円４３（中心座標及び半径）から図２（Ａ）及び図２（Ｂ）に示す吹出画像４４Ａ、４４Ｂの表示を行う。
【００４３】
図６（Ｂ）に示すプロセスリスク評価テーブル９１には、上述の機器リスク評価テーブル９０と同様に、各プロセスについての重要度及び不具合の発生頻度が各プロセスに対応するプロセスＩＤに対応づけられて登録されている。制御部２０は、この重要度及び不具合の発生頻度に基づいてプロセスリスク評価マトリクス５１でプロット画像５２をプロットする。また、制御部２０は、作業者が指定したウィンドウ３０の位置座標に基づいて、機器リスク評価テーブル９０、プロセスリスク評価テーブル９１の各情報から図３に示す吹出画像５４の表示を行う。
【００４４】
なお、機器リスク評価テーブル９０の機器識別ＩＤ及びプロセスＩＤは、この発明の関連情報に含まれる。機器リスク評価テーブル９０及びプロセス円４３の中心座標及び半径は、この発明の機器リスク評価情報に含まれる。その他、機器リスク評価情報としては、プロット画像４２など機器リスク評価マトリクス４１を表示するための情報も含まれる。また、プロセスリスク評価テーブル９１は、この発明のプロセスリスク評価情報に含まれる。その他、プロセスリスク評価情報としては、プロット画像５２などプロセスリスク評価マトリクス５１を表示するための情報も含まれる。なお、上述のウィンドウ３０、６０に表示されるプロット画像４２、５２、操作ボタンアイコン４６〜４８、７２などの画像情報については記憶部２１に記憶されている。
【００４５】
第１−３  フローチャート
図７は、リスク評価システム１が実行する重要度及び発生頻度の算出処理を示すフローチャートである。この算出処理は、端末装置２（制御部２０）によって実行される。作業者が、操作部２２を操作して図４に示すウィンドウ６０を起動し、各所定情報を入力した後に操作ボタンアイコン７２を押したことを契機として実行が開始される。
【００４６】
制御部２０は、最初に作業者が入力した各情報の内容に対応する数値を対応する選択肢テーブル８２から取得し、それらの数値を用いて重要度及び不具合の発生頻度を算出する（ステップＳ１０）。次に、制御部２０は、算出された重要度等の情報を対応する機器識別ＩＤ及びプロセスＩＤのリスク評価テーブル９０、９１に設定し（ステップＳ１１）、この処理を終了する。
【００４７】
図８は、リスク評価システム１が実行するリスク評価マトリクス４１、５１の表示処理を示すフローチャートである。この表示処理は、端末装置２（制御部２０）によって実行される。作業者が操作部２２を操作してウィンドウ３０を起動させたことを契機として、制御部２０は、この表示処理を実行する。
【００４８】
制御部２０は、表示要求の受信があるまで待機する（ステップＳ２０）。具体的には、制御部２０は、作業者が上述した操作ボタンアイコン４６〜４８を押してマトリクス表示エリア４０の表示態様を選択するまで待機する。表示要求を受信した場合（ステップＳ２０：ＹＥＳ）、制御部２０は、押された操作ボタンアイコン４６〜４８に基づいて、マトリクス表示エリア４０の表示態様がいずれであるかを判断する（ステップＳ２１）。機器リスク評価マトリクス４１（プロセス円４３なし）の表示態様が選択された場合（ステップＳ２１：機器（プロセスなし））、制御部２０は、機器リスク評価テーブル９０を記憶部２１から読み出す（ステップＳ２２）。次に、制御部２０は、このテーブル９０などの機器リスク評価情報に基づいて図２（Ａ）に示すような機器リスク評価マトリクス４１を表示する（ステップＳ２３）。その後、制御部２０は、ステップＳ２０の処理に戻る。
【００４９】
また、機器リスク評価マトリクス４１（プロセス円４３あり）の表示態様が選択された場合（ステップＳ２１：機器（プロセスあり））、制御部２０は、機器リスク評価テーブル９０を記憶部２１から読み出す（ステップＳ２４）。次に、制御部２０は、このテーブル９０の情報に基づいてプロセス円４３の中心座標及び半径を算出する（ステップＳ２５）。例えば、プロセスを構成する全てのスチームトラップの重要度（横軸座標）及び発生頻度（縦軸座標）から、これらスチームトラップの中心位置を算出し、この中心位置をプロセス円４３の中心座標とすればよい。また、例えば、上記スチームトラップのうち中心座標から最も離れているスチームトラップと中心座標との距離を半径とすればよい。あるいは、上記距離に所定値を加えた値を半径とすればよい。所定値を加えることで、プロセス円４３の円周上にスチームトラップのプロット画像４２が重ならず、プロセス円４３の内部にプロット画像４２が含まれるように表示することができる。そして、制御部２０は、このテーブル９０などの機器リスク評価情報に基づいて、図２（Ｂ）に示すようなプロセス円４３を含む機器リスク評価マトリクス４１を表示する（ステップＳ２６）。その後、制御部２０は、ステップＳ２０の処理に戻る。
【００５０】
また、プロセスリスク評価マトリクス５１の表示態様が選択された場合（ステップＳ２１：プロセス）、制御部２０は、プロセスリスク評価テーブル９１を記憶部２１から読み出す（ステップＳ２８）。次に、制御部２０は、このテーブル９１などのプロセスリスク評価情報に基づいて図３に示すようなプロセスリスク評価マトリクス５１を表示する（ステップＳ２９）。その後、制御部２０は、ステップＳ２０の処理に戻る。そして、制御部２０は、ウィンドウ３０が閉じられるまで、上記表示処理を継続して実行する。
【００５１】
以上のように、リスク評価システムは、機器リスク評価マトリクスにおいて、同一プロセスを構成する特定の構成機器（スチームトラップ）のプロット画像を識別できる。したがって、リスク評価において、プロセスシステムを構成するプロセスと、プロセスを構成する構成機器との関連性を把握することができ、より効率的にプロセスシステムの保全管理を行うことができる。
【００５２】
（第２実施形態）
この実施形態のリスク評価システム１００は、第１実施形態のリスク評価システム１と同様に特定の構成機器（スチームトラップ）及びプロセスのリスク評価を行う。また、リスク評価システム１００は、第１実施形態とは異なり、リスク評価においてスチームトラップの現在の動作状態も表示する。以下、主として第１実施形態と異なる構成について説明する。
【００５３】
第２−１  プロセスシステム（プラント）のリスク評価システム１００の構成
図９は、本実施形態のプロセスシステムのリスク評価システム１００の構成を示す図である。リスク評価システム１００は、リスク評価を行う端末装置２００などから構成される。端末装置２００は、制御部２０１、通信制御部２０２、記憶部２１０、操作部２２及び表示部２３などを有している。
【００５４】
制御部２０１は、ＣＰＵなどで構成され、記憶部２１０に記憶されているリスク評価プログラムを実行してリスク評価を行う。また、制御部２０１は、機器リスク評価において、スチームトラップの動作状態の判定を行い、ユーザが機器リスク評価マトリクス４１０（図１０（Ａ）、図１０（Ｂ）参照）においてスチームトラップの動作状態も視認できるように表示を行う。通信制御部２０２は、インターネットなどのネットワークを介して管理サーバ装置５００等の他の機器との通信を制御する。記憶部２１０は、ハードディスクやＲＡＭなどで構成され、上述したリスク評価プログラム及び後述するリスク評価テーブルなどを記憶する。
【００５５】
第２−２  リスク評価
図１０（Ａ）及び図１０（Ｂ）は、スチームトラップのリスクが表示されたウィンドウ３０の一例を示す図である。ウィンドウ３０は、第１実施形態と同様にマトリクス表示エリア４０などから構成される。マトリクス表示エリア４０には、第１実施形態と同様に定義された座標系の機器リスク評価マトリクス４１０が表示される。なお、図１０（Ａ）及び図１０（Ｂ）は、第１実施形態の図２（Ａ）及び図２（Ｂ）の機器リスク評価マトリクスと同じスチームトラップに対する機器リスク評価マトリクス４１０を表示している。
【００５６】
機器リスク評価マトリクス４１０には、プロット画像４２０（プロット画像４２０Ａ〜４２０Ｃを含む）がプロットされている。各プロット画像４２０は、第１実施形態と同様に、対応するスチームトラップの重要度及び不具合の発生頻度に基づいてプロットされている。また、この実施形態のプロット画像４２０は、対応するスチームトラップの動作状態に応じて異なる態様（黒塗円、黒塗三角、黒塗四角）で表示される。黒塗円のプロット画像４２０Ａは、対応するスチームトラップが正しい動作状態である正常状態であることを示す。黒塗三角のプロット画像４２０Ｂは、対応するスチームトラップが故障などにより正常ではない動作状態である異常状態であることを示す。黒塗四角のプロット画像４２０Ｃは、対応するスチームトラップの動作が停止した状態である休止状態を示す。スチームトラップの動作状態の判定処理については後述する。なお、これらのプロット画像４２０Ａ〜４２０Ｃの画像データは、予め記憶部２１０に記憶されている。
【００５７】
また、作業者が操作ボタンアイコン４７を押した場合は、第１実施形態と同様に、機器リスク評価マトリクス４１０が図１０（Ａ）から図１０（Ｂ）に示すような表示態様に変化する。図１０（Ｂ）に示す機器リスク評価マトリクス４１０には、第１実施形態と同様に、同一のプロセスを構成するスチームトラップのプロット画像４２０を囲んだプロセス円４３０（プロセス円４３０Ａ〜４３０Ｃを含む）が複数表示されている。
【００５８】
この実施形態のプロセス円４３０は、同一プロセスを構成するスチームトラップの動作状態に応じて異なる態様（細線、太線、破線）で表示される。細線のプロセス円４３０Ａは、対応するプロセスを構成するスチームトラップの全てが正常状態であることを示す。太線のプロセス円４３０Ｂは、対応するプロセスを構成するスチームトラップの少なくとも１つが異常状態であることを示す。破線のプロセス円４３０Ｃは、対応するプロセスを構成するスチームトラップの少なくとも１つが休止状態であることを示す。なお、１つのプロセスにおいて、異常状態のスチームトラップ及び休止状態のスチームトラップの両方が含まれる場合、例えば異常状態を優先として、太線のプロセス円４３０Ｂを表示すればよい。
【００５９】
スチームトラップの状態は、図１に示す管理サーバ装置５００が記憶管理する。端末装置２００は、定期的に管理サーバ装置５００からスチームトラップの動作状態を受信し、図１２に示す機器リスク評価テーブル９００を更新する。そして、端末装置２００は、この評価テーブル９００に基づいて上述した機器リスク評価マトリクス４１０を生成する。
【００６０】
図１２は、記憶部２１０に記憶されている機器リスク評価テーブル９００を示す図である。機器リスク評価テーブル９００には、重要度及び不具合の発生頻度に加え、上述したスチームトラップの動作状態も登録されている。プロット画像４２０Ａ〜４２０Ｃ及びプロセス円４３０Ａ〜４３０Ｃは、この評価テーブル９００の動作状態の情報に基づいて決定される。
【００６１】
また、図１１に示すようなプロセスリスク評価マトリクス５１０においても、３種類のプロット画像５２０（プロット画像５２０Ａ〜５２０Ｃを含む）がプロットされる。このプロット画像５２０も、プロセス円４３０と同様にプロセスを構成するスチームトラップの動作状態に応じて異なる態様（細線、太線、破線）で表示されている。
【００６２】
第２−３  スチームトラップの動作状態判定
スチームトラップの動作状態は、スチームトラップの外表面の超音波レベルの振動及び温度と、スチームトラップの周囲温度に基づいて判定される。上記振動及び２つの温度は、振動温度用センサを用いて検出される。検出された振動等を、判定基準情報（例えば、トラップ型式、温度、振動、蒸気漏れ量などの相関データ）に照合して蒸気漏れ量を推定することで上述した３つの動作状態が判定される。
【００６３】
上述のスチームトラップの振動等の検出は、例えば、作業者が各スチームトラップの配設された場所に行き、上記センサを備えた可搬式の収集器をスチームトラップに接触させることで行われる。そして、検出結果は、収集器から可搬型のパーソナルコンピュータなどの可搬型端末装置に送信される。可搬型端末装置は、検出結果から動作状態判定を行い、その判定結果を管理サーバ装置５００に送信する。管理サーバ装置５００は、上記判定結果をスチームトラップの機器識別ＩＤに関連付けてデータベース等で記憶管理する。
【００６４】
また、例えば、上記センサ及び通信機能を有する収集装置を上記センサがスチームトラップの外表面に接触する状態で設置し、作業者を介さずに収集装置が定期的に検出を行うようにしてもよい。この場合、検出結果は、収集装置から無線通信等で管理サーバ装置５００に送信される。そして、管理サーバ装置５００が、受信した検出結果等に基づいてスチームトラップの動作状態判定を行い、判定結果をデータベース等で記憶管理すればよい。なお、上記検出および動作状態判定は、公知の技術であるので詳細説明は省略する。
【００６５】
第２−４  フローチャート
図１３は、リスク評価システム１００が実行する状態情報の更新処理を示すフローチャートである。この算出処理は、端末装置２００（制御部２０１）によって実行される。また、この更新処理は、例えば、１日に一度、所定の時刻になった際に実行される。
【００６６】
制御部２０１は、最初に管理サーバ装置５００にスチームトラップの動作状態の情報の送信要求を行い（ステップＳ４０）、この情報を受信するまで待機する（ステップＳ４１）。送信要求の際、制御部２０１は、機器リスク評価テーブル９００に含まれる全てのスチームトラップの機器識別ＩＤも含めて送信する。そして、管理サーバ装置５００から動作状態の情報を受信した場合（ステップＳ４１：ＹＥＳ）、制御部２０１は、受信した動作状態の情報に基づいて機器リスク評価テーブル９００に含まれる動作状態の設定を更新する。
【００６７】
図１４は、リスク評価システム１００が実行するリスク評価マトリクス４１０、５１０の表示処理を示すフローチャートである。この表示処理は、端末装置２００（制御部２０１）によって実行される。この表示処理は、基本的には図８に示す第１実施形態の表示処理と同様である。
【００６８】
制御部２０１は、ステップＳ２１の処理において、機器リスク評価マトリクス４１０（プロセス円４３０なし）の表示態様が選択された場合、機器リスク評価テーブル９００を記憶部２１０から読み出す（ステップＳ２２）。次に、制御部２０１は、このテーブル９００などの機器リスク評価情報に基づいて図１０（Ａ）に示すような機器リスク評価マトリクス４１０を表示する（ステップＳ２３-Ｂ）。
【００６９】
また、制御部２０１は、ステップＳ２１の処理において、機器リスク評価マトリクス４１０（プロセス円４３０あり）の表示態様が選択された場合、機器リスク評価テーブル９００を記憶部２１０から読み出す（ステップＳ２４）。次に、制御部２０１はこのテーブル９００の情報に基づいてプロセス円４３０の中心座標及び半径を算出する（ステップＳ２５）。次に、制御部２０１は、このテーブル９００などの機器リスク評価情報に基づいて、図１０（Ｂ）に示すようなプロセス円４３０を含む機器リスク評価マトリクス４１０を表示する（ステップＳ２６−Ｂ）。
【００７０】
さらに、制御部２０１は、ステップＳ２１の処理において、プロセスリスク評価マトリクス５１０の表示態様が選択された場合、機器リスク評価テーブル９００及びプロセスリスク評価テーブル９１を記憶部２１０から読み出す（ステップＳ２８−Ｂ）。次に、制御部２０１は、これらテーブル９００、９１などのプロセスリスク評価情報に基づいて図１１に示すようなプロセスリスク評価マトリクス５１０を表示する（ステップＳ２９−Ｂ）。
【００７１】
以上のように、この実施形態のリスク評価システムは、第１実施形態と同様の効果を奏することができる。さらに、プロセスを構成する特定の構成機器（スチームトラップ）の動作状態をプロット画像から把握することができるので、例えば、リスクが高く、且つ、異常状態にある構成機器及びプロセスを容易に特定することができる。したがって、より効率的にプロセスシステムの保全管理を行うことができる。
【００７２】
なお、この実施形態では、スチームトラップの判定結果を管理サーバ装置５００から受信しているが、特にこれに限定されるものではない。例えば、端末装置２００が動作状態判定を行ってもよい。この場合、ユーザが上述した検出結果を端末装置２００に入力し、端末装置２００はその入力された情報等に基づいて動作状態判定を行う。また、例えば、ユーザが判定結果を端末装置２００に入力するようにしてもよい。
【００７３】
また、この実施形態では、スチームトラップを、正常状態、異常状態、休止状態の３つに区別しているが、特にこれに限定されるものではない。使用する判定手法に応じた動作状態で区別すればよい。
【００７４】
さらに、この実施形態では、プロット画像４２０Ａ〜４２０Ｃ、５２０Ａ〜５２０Ｃは、特に上述した態様（形状、色彩、模様）に限定されるものではない。ユーザが各状態を特定できれば、例えば、形状などは同一であるが、点滅間隔を各状態で異なるようにしてもよい。
【００７５】
（他の実施形態）
上述の実施形態では、スチームトラップをリスク評価の対象としているが、特にこれに限定されるものではなく、全ての構成機器に適用可能である。また、機器リスク評価マトリクスについても、単一の構成機器だけでなく、複数種類の構成機器についてプロット画像を表示してもよい。その際、種類毎にプロット画像の態様（形状、色彩、模様）を統一するようにしてもよい。また、プロット画像は、図２（Ａ）、図２（Ｂ）、図３、図１０(Ａ)、図１０（Ｂ）、図１１に示すような画像には限定されず、どのような画像であってもよい。
【００７６】
また、この実施形態では、機器リスク評価マトリクス（プロセス円あり／なし）及びプロセスリスク評価マトリクスが切り換えて表示されているが、同時に表示するようにしてもよい。
【００７７】
さらに、この実施形態では、図２（Ｂ）に示すような機器リスク評価マトリクスにおいて、同一プロセスを構成するスチームトラップのプロット画像を識別できる表示態様として、プロセス円で囲む構成としているが、特にこれに限定されるものではない。例えば、同一プロセス毎に異なる形態のプロット画像を用いるようにしてもよい。具体的には、同一プロセス毎に異なる色彩または模様のプロット画像を用いる。あるいは、同一プロセス毎に異なる形状のプロット画像を用いる。なお、同一プロセス毎に異なる形状のプロット画像を用いる場合、スチームトラップの動作状態については、例えば、状態に応じて異なる色彩のプロット画像とすればよい。すなわち、プロット画像の形状はプロセスを特定する情報となり、プロット画像の色彩は動作状態を特定する情報となる。
【００７８】
また、上述の実施形態のリスク評価システムは、端末装置などから構成されているが、特にこれに限定されるものではない。例えば、ネットワークに接続されたサーバ装置及び端末装置などから構成されるシステムであってもよい。この場合、サーバ装置が上述した機器リスク評価マトリクスを表示するための機器リスク評価情報を生成し、端末装置がサーバ装置から受信した機器リスク評価情報に基づいて機器リスク評価マトリクスなどを表示するようにしてもよい。
【００７９】
あるいは、サーバ装置が図５（Ａ）〜図５（Ｃ）に示すようなスチームトラップ（プロセス）のそれぞれに関する所定情報を記憶し、端末装置がサーバ装置から受信した上記情報に基づいて機器リスク評価マトリクスを表示するようにしてもよい。この場合、ユーザが予めサーバ装置に各スチームトラップの所定情報を入力しておけばよい。
【産業上の利用可能性】
【００８０】
この発明は、発電所、オイル製造装置、精油所、ガスプラント、蒸気プラントなどのプラント（プロセスシステム）を製造、販売、運用等する産業分野で利用することができる。
【符号の説明】
【００８１】
１、１００  リスク評価システム
２、２００  端末装置
２０、２０１  制御部（算出部、リスク評価部）
２１、２１０  記憶部
２２  操作部
２３  表示部
４１、４１０  機器リスク評価マトリクス
４２、４２０  プロット画像
４３、４３０  プロセス円
５１、５１０  プロセスリスク評価マトリクス
５２、５２０  プロット画像
９０、９００  機器リスク評価テーブル
９１  プロセスリスク評価テーブル
【要約】
プロセスシステムのリスク評価システムは、記憶部、操作部、算出部、リスク評価部及び表示部を備える。算出部は、プロセスを構成する特定の構成機器に関するリスク評価に用いる第一要因及び第二要因を、特定の構成機器に関する所定情報に基づいて算出する。リスク評価部は、第一要因及び第二要因の２軸で定義され、算出された特定の構成機器の第一要因及び第二要因に基づいてプロットしたプロット画像を含む機器リスク評価マトリクスを表示するための機器リスク評価情報を生成する。また、リスク評価部は、同一プロセスを構成する特定の構成機器のプロット画像を特定可能な表示態様で機器リスク評価情報を生成する。【図１】
0005884000.tif 000002
【図２】
0005884000.tif 000003
【図３】
0005884000.tif 000004
【図４】
0005884000.tif 000005
【図５】
0005884000.tif 000006
【図６】
0005884000.tif 000007
【図７】
0005884000.tif 000008
【図８】
0005884000.tif 000009
【図９】
0005884000.tif 000010
【図１０】
0005884000.tif 000011
【図１１】
0005884000.tif 000012
【図１２】
0005884000.tif 000013
【図１３】
0005884000.tif 000014
【図１４】
0005884000.tif 000015